(57)【要約】【課題】荷物ラックの利便性を高めることを可能とする荷物ラック用アタッチメントを提供することである。【解決手段】荷物ラック用アタッチメント１０は、荷物を載置するための矩形状の平板部材４と、平板部材４の四隅に平板部材４を支持するように設けられ、底面に孔部を有する４つの支柱部６と、を備える荷物ラック２に装着される装着部１１を有する荷物ラック用装置１０であって、装着部１１は、底面の孔部に嵌合可能な嵌合部１４を備えていることを特徴とする。【選択図】図１
2020185213.tif 000002
【特許請求の範囲】
【請求項１】
荷物を載置するための矩形状の載置板部と、
前記載置板部の四隅に該載置板部を支持するように設けられ、底面に孔部を有する４つの支柱部と、を備える荷物ラックに装着される装着部を有する荷物ラック用装置であって、
前記装着部は、前記底面の前記孔部に嵌合可能な嵌合部を備えていることを特徴とする荷物ラック用アタッチメント。
【請求項２】
請求項１に記載の荷物ラック用アタッチメントにおいて、
前記装着部は、地面上を転動可能な車輪を有することを特徴とする荷物ラック用アタッチメント。
【請求項３】
請求項１に記載の荷物ラック用アタッチメントにおいて、
前記装着部は、地面上に起立するように前記支柱部の底面よりも広い面積を有する起立面部を有することを特徴とする荷物ラック用アタッチメント。
【請求項４】
請求項１に記載の荷物ラック用アタッチメントにおいて、
前記装着部は、螺合溝が形成された螺合孔部を底面に有することを特徴とする荷物ラック用アタッチメント。
【発明の詳細な説明】
【技術分野】
【０００１】
本発明は、荷物ラック用アタッチメントに関する。
【背景技術】
【０００２】
従来、荷物を載せるための載置板が上下方向に所定の間隔をおいて設けられ、この複数の載置板を４つの支柱部で支持した荷物ラックが開発されている。本発明に関連する技術として、例えば、特許文献１には、ラックを構成するラック本体の下部に設けられた横架材に取り付けられるキャスターユニットであって、横架材を下方から受ける受け部材と、床面を転がる車輪を有するキャスターと、受け部材の下方でキャスターを支持するキャスター支持部材と、キャスター支持部材と受け部材との間に上下方向へ伸縮可能に設けられたコイルばねとを備え、ラック本体に物品が積載されていないときには、ラックに設けられた脚部が床面から離間し、ラック本体に物品が積載されたときには、物品の荷重でコイルばねが圧縮されて受け部材が降下し、脚部が床面に当接する、キャスターユニットが開示されている。
【先行技術文献】
【特許文献】
【０００３】
【特許文献１】特開２０１７−８７７４８号公報
【発明の概要】
【発明が解決しようとする課題】
【０００４】
従来、様々な荷物ラックが開発されている中で軽量化やコスト削減の観点から４つの支柱部には断面形状が略コの字形状の空洞部が形成されているものが存在するが、この空洞部を利用したアタッチメントは存在しない。そのため、この空洞部を利用して荷物ラックの利便性を高めることが望まれている。
【０００５】
本発明の目的は、荷物ラックの利便性を高めることを可能とする荷物ラック用アタッチメントを提供することである。
【課題を解決するための手段】
【０００６】
本発明に係る荷物ラック用アタッチメントは、荷物を載置するための矩形状の載置板部と、前記載置板部の四隅に該載置板部を支持するように設けられ、底面に孔部を有する４つの支柱部と、を備える荷物ラックに装着される装着部を有する荷物ラック用装置であって、前記装着部は、前記底面の前記孔部に嵌合可能な嵌合部を備えていることを特徴とする。
【０００７】
また、本発明に係る荷物ラック用アタッチメントにおいて、前記装着部は、地面上を転動可能な車輪を有することが好ましい。
【０００８】
また、本発明に係る荷物ラック用アタッチメントにおいて、前記装着部は、地面上に起立するように前記支柱部の底面よりも広い面積を有する起立面部を有することが好ましい。
【０００９】
また、本発明に係る荷物ラック用アタッチメントにおいて、前記装着部は、螺合溝が形成された螺合孔部を底面に有することが好ましい。
【発明の効果】
【００１０】
本発明によれば、荷物ラックの利便性を高めることが出来る。
【図面の簡単な説明】
【００１１】
【図１】本発明に係る実施形態の荷物ラック用アタッチメントを装着する対象となる荷物ラックを示す図である。
【図２】本発明に係る実施形態の荷物ラック用アタッチメントの斜視図である。
【図３】本発明に係る実施形態の荷物ラック用アタッチメントを荷物ラックに装着した様子を示す図である。
【図４】本発明に係る実施形態の荷物ラック用アタッチメントの変形例である荷物ラック用アタッチメントの斜視図である。
【図５】本発明に係る実施形態の荷物ラック用アタッチメントの変形例である荷物ラック用アタッチメントを荷物ラックに装着した様子を示す図である。
【図６】本発明に係る実施形態の荷物ラック用アタッチメントの別の変形例である荷物ラック用アタッチメントの斜視図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、荷物ラック用アタッチメント１０を装着する対象となる荷物ラック２を示す図である。図２は、荷物ラック用アタッチメント１０の斜視図である。図３は、荷物ラック用アタッチメント１０を荷物ラック２に装着した様子を示す図である。
【００１４】
図４は、荷物ラック用アタッチメント１０の変形例である荷物ラック用アタッチメント２０の斜視図である。図５は、荷物ラック用アタッチメント２０を荷物ラック２に装着した様子を示す図である。
【００１５】
図６は、荷物ラック用アタッチメント１０の別の変形例である荷物ラック用アタッチメント３０の斜視図である。
【００１６】
荷物ラック用アタッチメント１０は、荷物ラック２に装着する付属品である。荷物ラック用アタッチメント１０は、装着部１１を備えている。荷物ラック用アタッチメント１０は、適度な強度を有する材質、例えば、スチールを用いて構成されるものとして説明するが、もちろん、適宜変更してもよい。
【００１７】
荷物ラック２は、図１に示されるように、荷物を載置するために矩形状を有し、載置板として機能する３つの平板部材４が上下方向に所定の間隔を置いて配置されている。荷物ラック２は、適度な強度を有する材質、例えば、スチールを用いて構成されるものとして説明するが、もちろん、適宜変更してもよい。
【００１８】
このように配置された３つの平板部材４の四隅には、当該３つの平板部材４を支持するように４つの支柱部６が立設している。４つの支柱部６の底面は、図１の点線拡大図で示されるように底面側から見た場合に、略コの字状に形成されており、支柱部６の上下に伸びる空洞部７が形成されている。
【００１９】
装着部１１は、荷物ラック２の支柱部６の底面の孔部を含む空洞部７に嵌合可能な嵌合部１４と、地面上に起立するように支柱部６の底面よりも広い面積を有する起立面部１２とを備えている。
【００２０】
嵌合部１４は、４つの支柱部６の底面の略コの字状に嵌合可能なように上面視で略コの字の立壁で構成されている。立壁の高さは、例えば、略コの字の一辺の長さを基準とすると、当該一辺よりも短い高さに設定するものとして説明するが、もちろん、強度などに勘案して適宜変更することが可能である。
【００２１】
起立面部１２は、支柱部６の底面よりも大きく、例えば、支柱部６の底面の約４倍の平面を有する矩形の平板に設定することができるが、もちろん、適宜変更可能である。また、外形は矩形に限らず、例えば、楕円などでもよい。
【００２２】
続いて、上記構成からなる荷物ラック用アタッチメント１０の作用について説明する。４つの嵌合部１４をそれぞれ４つの支柱部６の孔部を含む空洞部７に嵌合させる。これにより、４つの支柱部６に４つの荷物ラック用アタッチメント１０を装着した状態とする。そして、図３に示されるように、起立面部１２を地面上に起立させる状態とする。
【００２３】
荷物ラック２の４つの支柱部６に４つの荷物ラック用アタッチメント１０を装着することで、より広い面積で地面と接触させることができるため、起立状態を安定させることができるという利点がある。
【００２４】
次に、荷物ラック用アタッチメント１０の変形例である荷物ラック用アタッチメント２０について説明する。荷物ラック用アタッチメント２０は、装着部２１を備えている。荷物ラック用アタッチメント２０は、適度な強度を有する材質、例えば、スチールを用いて構成されるものとして説明するが、もちろん、適宜変更してもよい。
【００２５】
図３は、荷物ラック用アタッチメント２０を底面側から見た様子を示し、図４は、荷物ラック用アタッチメント２０の上面側を支柱部６に装着した様子を示している。
【００２６】
荷物ラック用アタッチメント２０は、中央部に位置する平板２４の上面側に荷物ラック用アタッチメント１０の嵌合部１４と同様の略コの字状の立壁を有する嵌合部２６を備えている。
【００２７】
荷物ラック用アタッチメント２０は、平板２４の底面側には螺合溝２７が形成されたナット部２８が設けられている。これにより、螺合溝２７に螺合可能な螺合部を有する部品を着脱可能に装着することが出来る。
【００２８】
続いて、上記構成の荷物ラック用アタッチメント２０の作用について説明する。４つの嵌合部２６をそれぞれ４つの支柱部６の孔部を含む空洞部７に嵌合させる。これにより、４つの支柱部６に４つの荷物ラック用アタッチメント２０を装着した状態とする。
【００２９】
ここで、例えば、ナット部２８の螺合溝２７に螺合可能な螺合部を荷物ラック用アタッチメント１０の起立面部１２に設けたアタッチメントを螺合させることで、荷物ラック２の起立状態をより安定させることができる。
【００３０】
また、ナット部２８の螺合溝２７に螺合可能な螺合部を転動可能なローラ部材に設けたアタッチメントを螺合させることで、荷物ラック２を移動可能にすることができるという効果を有する。
【００３１】
このように、荷物ラック用アタッチメント２０を用いることで螺合溝２７の結合対象を変えることで、荷物ラック２の起立状態を安定させることができ、荷物ラック２を移動可能な状態とさせることができる。
【００３２】
次に、荷物ラック用アタッチメント１０の別の変形例である荷物ラック用アタッチメント３０について説明する。荷物ラック用アタッチメント３０は、装着部３１と、ローラ支持部３４と、ローラ部３６とを備えている。装着部３１及びローラ支持部３４は、適度な強度を有する材質、例えば、スチールを用いて構成されるものとして説明するが、もちろん、適宜変更してもよい。
【００３３】
図５は、荷物ラック用アタッチメント３０を上面側から見た斜視図である。荷物ラック用アタッチメント３０は、中央部に位置する平板３３の上面側に荷物ラック用アタッチメント１０の嵌合部１４と同様の略コの字状の立壁を有する嵌合部３２を備えている。
【００３４】
荷物ラック用アタッチメント３０は、平板３３の下部に側面視が略コの字でローラ部３６の回転軸が設けられたローラ支持部３４が設けられている。ローラ部３６は、ウレタンなどで構成されたローラが地面を転動可能にローラ支持部３４に支持されている。
【００３５】
続いて、上記構成の荷物ラック用アタッチメント３０の作用について説明する。４つの嵌合部３２をそれぞれ４つの支柱部６の孔部を含む空洞部７に嵌合させる。これにより、４つの支柱部６に４つの荷物ラック用アタッチメント３０を装着した状態とする。
【００３６】
４つの荷物ラック用アタッチメント３０が装着された荷物ラック２の底面に地面を転動可能なローラが設けられている。これにより、荷物ラック２を必要に応じて場所を移動させることができるという顕著な効果を奏する。
【００３７】
以上のように、荷物ラック用アタッチメント１０，２０，３０を用いることで、荷物ラック２の起立状態を安定化させたり、移動可能なラックにしたりと状況に応じて柔軟に変更することができるため荷物ラック２の利便性を高めることが出来る。
【符号の説明】
【００３８】
２  荷物ラック、４  平板部材、６  支柱部、７  空洞部、１０，２０，３０  荷物ラック用アタッチメント、１１  装着部、１２  起立面部、１４  嵌合部、２１  装着部、２４  平板、２６  嵌合部、２７  螺合溝、２８  ナット部、３１  装着部、３２  嵌合部、３３  平板、３４  ローラ支持部、３６  ローラ部。
【図１】
2020185213.tif 000003
【図２】
2020185213.tif 000004
【図３】
2020185213.tif 000005
【図４】
2020185213.tif 000006
【図５】
2020185213.tif 000007
【図６】
2020185213.tif 000008